(57)【要約】【課題】ライナーを有する磁気ディスクカートリッジにおいて、ライナーに捕捉した塵埃等の付着物が連続使用や衝撃により飛散して、磁気ディスクメディアに再付着してしまうことを防止する。【解決手段】円盤状の磁気ディスクメディア４と、この磁気ディスクメディア４を回転可能に収容したケースＣと、このケースＣの、磁気ディスクメディア４に対面する内面に固定されたライナー５とを備えてなる磁気ディスクカートリッジにおいて、ライナー５に、磁気ディスクメディア４に向かって突出した凸部５ａを設けるとともに、この凸部５ａに隣接する該凸部５ａよりも低い部分に粘着部５ｂを設ける。【選択図】　　　　　図１
2004030705.tif 000002
【特許請求の範囲】
【請求項１】
円盤状の磁気ディスクメディアと、
磁気ヘッド挿入用の窓部を有して前記磁気ディスクメディアを回転可能に収容したケースと、
このケースの、前記磁気ディスクメディアに対面する内面に固定されたライナーとを備えてなる磁気ディスクカートリッジにおいて、
前記ライナーが、前記磁気ディスクメディアに向かって突出した凸部と、この凸部に隣接する該凸部よりも低い部分に形成された粘着部とを備えていることを特徴とする磁気ディスクカートリッジ。
【請求項２】
円盤状の磁気ディスクメディアと、
磁気ヘッド挿入用の窓部を有して前記磁気ディスクメディアを回転可能に収容したケースと、
このケースの、前記磁気ディスクメディアに対面する内面に固定されたライナーとを備えてなる磁気ディスクカートリッジにおいて、
前記ライナーが少なくとも、前記磁気ディスクメディアに接触する多孔質性層と、この多孔質性層よりも前記ケースの内面側に形成された粘着層とを備えた多層構造のものとされていることを特徴とする磁気ディスクカートリッジ。
【発明の詳細な説明】
【０００１】
【発明の属する技術分野】
本発明は、ケース内に磁気ディスクメディアを収容してなり、この磁気ディスクメディアを回転させて磁気記録再生に利用する磁気ディスクカートリッジに関し、特に、ケース内面に除塵用のライナーを設けた構造の磁気ディスクカートリッジに関するものである。
【０００２】
【従来の技術】
従来、フレキシブルなポリエステルシート等からなる円盤状の支持体の両面に磁性体層が形成された可撓性磁気記録メディアを、例えば上下シェルハーフを接合してなる、磁気ヘッド挿入用の窓部を有するケース内に回転自在に収容してなる磁気ディスクカートリッジが提供されている。この種の磁気ディスクカートリッジは、その取扱いの容易性、低コストといった利点から、主としてコンピュータ用の記録媒体として用いられている。
【０００３】
上記構成の磁気ディスクカートリッジにおいて、磁気ディスクメディアに塵埃等が付着すると、それがいわゆるドロップアウトの原因となる。このドロップアウトの問題は、磁気ディスクメディアの記録密度がより高いほど発生しやすくなる。そこで、例えば３．５インチタイプの磁気ディスクカートリッジ等においては、磁気ディスクメディアに対面するケース内面に、磁気ディスクメディアに付着した塵埃等の付着物を除去するライナーを配設した構造が広く採用されている。
【０００４】
【発明が解決しようとする課題】
従来の磁気ディスクカートリッジにおいて、上記ライナーは一般に、磁気ディスクメディアに接触する表面が起毛状態になっている材料から形成され、そのような表面が回転する磁気ディスクメディアに接触して、そこに付着している塵埃等を該表面部分で払拭、捕捉するように構成されていた。しかし、このようなライナーを備えた従来の磁気ディスクカートリッジにおいては、繰り返し使用した場合や、使用時に衝撃（ドライブ装置への装着衝撃や落下衝撃等）が加わった場合に、ライナー表面部分に捕捉されていた塵埃等の付着物が飛散して、磁気ディスクメディアに再付着してしまうという問題が認められていた。
【０００５】
本発明は上記の事情に鑑み、ライナーに捕捉した塵埃等の付着物が連続使用や衝撃により飛散して、磁気ディスクメディアに再付着してしまうことを防止できる磁気ディスクカートリッジを提供することを目的とする。
【０００６】
【課題を解決するための手段】
本発明による第１の磁気ディスクカートリッジは、前述したように、円盤状の磁気ディスクメディアと、磁気ヘッド挿入用の窓部を有して前記磁気ディスクメディアを回転可能に収容したケースと、このケースの、前記磁気ディスクメディアに対面する内面に固定されたライナーとを備えてなる磁気ディスクカートリッジにおいて、ライナーが、磁気ディスクメディアに向かって突出した凸部と、この凸部に隣接する該凸部よりも低い（つまり磁気ディスクメディアから遠い）部分に形成された粘着部とを備えていることを特徴とするものである。
【０００７】
なお上記の凸部は、例えば磁気ディスクメディアの半径方向に延びる形として、粘着部を該凸部に沿ってそれとほぼ平行に延びるように形成するのが望ましい。あるいは凸部を環状に形成して、粘着部を該凸部の中や外側に形成してもよい。
【０００８】
また上記の凸部は、磁気ディスクメディアの回転方向上下に亘って複数形成され、それらの凸部と凸部との間に前記粘着部が形成されることが望ましい。またそのような凸部と粘着部との組合せは、１つのライナーにおいて複数組設けられることが望ましい。さらに、そのような凸部と粘着部との組合せは、少なくとも、磁気ディスクメディアの外周縁に近い部分に対面する位置に設けられることが望ましい。
【０００９】
また上記の粘着部は、磁気ディスクメディアの回転に影響を与えないように、ライナーのケースに固着される部分に形成するのが好ましい。
【００１０】
さらに本発明による第２の磁気ディスクカートリッジは、上記と同様の磁気ディスクメディアと、ケースと、このケースの、前記磁気ディスクメディアに対面する内面に固定されたライナーとを備えてなる磁気ディスクカートリッジにおいて、前記ライナーが少なくとも、磁気ディスクメディアに接触する多孔質性層と、この多孔質性層よりもケースの内面側に形成された粘着層とを備えた多層構造のものとされていることを特徴とするものである。
【００１１】
なお上記の粘着層は例えば、支持体となる層状の材料に粘着性物質を塗布、あるいは含浸して形成することができる。
【００１２】
【発明の効果】
本発明による第１の磁気ディスクカートリッジにおいては、ライナーに、磁気ディスクメディアに向かって突出した凸部と、この凸部に隣接する該凸部よりも低い部分に形成された粘着部とが設けられていることにより、主に上記凸部が磁気ディスクメディアに接触してその表面にある塵埃等の付着物を除去し、そして、除去された付着物はライナーの上記粘着部に粘着捕捉されるようになる。そこで、磁気ディスクカートリッジが落下衝撃等の衝撃や連続使用を受けても、ライナーから塵埃等の付着物が飛散し難くなるので、飛散した付着物が磁気ディスクメディアに再付着してしまうことを防止でき、安定したディスク特性が得られるようになる。
【００１３】
また本発明による第２の磁気ディスクカートリッジにおいては、ライナーが、磁気ディスクメディアに接触する多孔質性層と、この多孔質性層よりもケースの内面側に形成された粘着層とを備えた多層構造のものとされていることにより、多孔質性層が磁気ディスクメディアに接触してその表面にある塵埃等の付着物を除去し、そして、除去された付着物は該多孔質性層の孔の部分を通過して上記粘着層に粘着捕捉されるようになる。そこで上記第１の磁気ディスクカートリッジと同様に、該第２の磁気ディスクカートリッジが落下衝撃等の衝撃や連続使用を受けても、ライナーから塵埃等の付着物が飛散し難くなるので、飛散した付着物が磁気ディスクメディアに再付着してしまうことを防止でき、安定したディスク特性が得られるようになる。
【００１４】
【発明の実施の形態】
以下、図面を参照して本発明の実施の形態を詳細に説明する。
【００１５】
図１は本発明の一実施の形態による磁気ディスクカートリッジを、上下シェルハーフを分解して示す斜視図である。この磁気ディスクカートリッジは、一例としていわゆる３．５インチタイプのフロッピディスク（登録商標）カートリッジであり、例えばアクリロニトリル−ブタジエン−スチレン共重合体のような合成樹脂から形成された上シェルハーフ１および下シェルハーフ２を接合して形成された扁平なケースＣ（ハードケース）と、このケースＣ内に回転自在に収容された円盤状の磁気ディスクメディア４と、この磁気ディスクメディア４の一表面、他表面にそれぞれ対面する状態にしてケースＣ内に配設された１対のライナー５，５とを備えてなるものである。
【００１６】
上記磁気ディスクメディア４は、フレキシブルなポリエステルシート等からなる円盤状のベースの両面に磁性体層が形成されたものであり、外周部と内周部とを除く円環状に記録領域４ａが設定され、この記録領域の内、外周側の縁部が非記録領域４ｂとなっている。また磁気ディスクメディア４の中央部は、センターコア３に固定、保持されている。
【００１７】
このセンターコア３は、磁気ディスクカートリッジが図示しないドライブ装置に装填されると、該ドライブ装置の回転スピンドルと係合する。そこでこの回転スピンドルが駆動されると、その回転力によって該センターコア３が、つまりは磁気ディスクメディア４が矢印Ｄ方向に回転駆動される。
【００１８】
上シェルハーフ１および下シェルハーフ２は扁平なほぼ矩形状とされ、それらの外周には側壁を構成する外周リブ１ａ，２ａが設けられ、隅角部には略斜めに内側リブ１ｂ，２ｂが設けられている。またこれらの上シェルハーフ１および下シェルハーフ２の一部には、それぞれ長方形の磁気ヘッド挿入用窓部１０，１１が設けられている。
【００１９】
下シェルハーフ２の中央部分には、上記センターコア３が臨む大きさの円形状のスピンドル孔２ｃが開口されている。他方、上シェルハーフ１の内面の中心部には、センターコア３の外周の環状部分より内側に位置する環状突起１２が突設されている。この環状突起１２はセンターコア３の上記環状部分の内側に嵌入して、磁気ディスクメディア４の半径方向への移動を規制する。また、図示は省略してあるが、ケースＣの窓部１０，１１を開閉するために、図中左右方向に滑動自在とされたシャッター部材が組み付けられる。
【００２０】
前記上シェルハーフ１および下シェルハーフ２の内面にはそれぞれ、磁気ディスクメディア４の記録領域４ａのほぼ全面に接する部分を有するライナー５，５が超音波溶着、接着等により固着されている。それらのライナー５，５は例えば表面が起毛状態になっている材料から形成され、互いにほぼ同一形状（対称形状）で、窓部１０，１１に重なる部分については切除されており、中心部についても環状突起１２またはスピンドル孔２ｃの外径より大きい円孔が開口されている。
【００２１】
ここで上記ライナー５，５の各々には、１つの凸部５ａと３つの粘着部５ｂとの組合せが、一例として４組ずつ設けられている。凸部５ａは磁気ディスクメディア４の半径方向に長く延びて外側が閉じたＵ字状の部分が、磁気ディスクメディア４側に向かって突出するように形成され、その内部並びに両側の該凸部５ａよりも低い（つまり磁気ディスクメディア４から遠い）部分に粘着部５ｂが形成されている。
【００２２】
上記粘着部５ｂは、ライナー５の表面部分に、ポストイット（登録商標）や紙オムツ用ファスナーに用いられているようなアクリル系、ゴム系、ウレタン系あるいはシリコーン系等の再剥離性粘着素材が塗布されてなるものであり、上記凸部５ａの長く延びる部分と平行、つまり磁気ディスクメディア４の半径方向に延びる形状とされている。なお上記の再剥離性粘着素材として具体的に、ゴム系のものとしては、少なくともビニル芳香族化合物を主体とする重合体ブロックＡと共役ジエン化合物を主体とする重合体ブロックＢとからなるブロック共重合体であるエラストマーを含むものであることが好ましい。それらの中で特に好ましいエラストマーとしては、例えばスチレン−イソプレン−スチレンブロック共重合体（ＳＩＳ）、スチレン−ブタジエン−スチレンブロック共重合体（ＳＢＳ）、またはこれらの水添タイプ（ＳＩＰＳ、ＳＥＢＳ）等のスチレン系ブロックコポリマーの一種または二種以上の混合物が挙げられる。またこの粘着部５ｂは、磁気ディスクメディア４の回転に影響を与えないように、ライナー５の、上シェルハーフ１あるいは下シェルハーフ２に固着される部分に形成されている。
【００２３】
なお図２には、磁気ディスクカートリッジが組み立てられた状態における、上記凸部５ａおよび粘着部５ｂの側断面形状を示してある。
【００２４】
上記構成の磁気ディスクカートリッジがドライブ装置に装填されて、磁気ディスクメディア４が回転駆動されると、ライナー５の表面が磁気ディスクメディア４の表面に軽く接触する。磁気ディスクメディア４の表面に存在する塵埃等は軽度の付着性を有しているが、ライナー５の表面が接触して塵埃等にその静的付着力を越える移動エネルギーを与えることで、塵埃等は移動を開始する。すなわち、磁気ディスクメディア４の高速回転に伴う遠心力で塵埃等がメディア外周側に移動すると共に、磁気ディスクメディア４の回転によりその表面には外側に向けて流れるエア流が発生するので、塵埃等はこのエア流によってもメディア外周側に移動し、浮上して上下ライナー５に捕捉されるか、記録領域４ａより外側に排除されてクリーニングが行われる。こうして、磁気ディスクメディア４と磁気ヘッドとの接触部分に塵埃等が侵入することが防止され、ドロップアウトの発生が抑えられる。
【００２５】
本実施の形態の磁気ディスクカートリッジにおいては、ライナー５が前述の通りの凸部５ａと粘着部５ｂとを有していることにより、主に上記凸部５ａが磁気ディスクメディア４に接触してその表面にある塵埃等の付着物（図２において概略的にＦで示す）を除去し、そして、こうして除去された付着物はライナー５の上記粘着部５ｂに粘着捕捉されるようになる。そこで、磁気ディスクカートリッジが落下衝撃等の衝撃や連続使用を受けても、ライナー５から塵埃等の付着物が飛散し難くなるので、飛散した付着物が磁気ディスクメディア４に再付着してしまうことを防止でき、安定したディスク特性が得られるようになる。
【００２６】
特に本実施の形態では、ライナー５の凸部５ａを前述の通りＵ字状に形成しているので、磁気ディスクメディア４の外周側に移動する塵埃等をこの凸部５ａの外端の閉じている部分で捕えて、その内部の粘着部５ｂに捕捉しやすくなっている。
【００２７】
なお本実施の形態では、凸部５ａの配設位置を上シェルハーフ１と下シェルハーフ２との間で互いにずらしてあるが、この凸部５ａの配置位置を上シェルハーフ１と下シェルハーフ２との間で互いに整合させても構わない。またこの凸部５ａの高さＨ（図２参照）は、３．５インチタイプのフロッピディスク（登録商標）カートリッジの場合で１０〜３００μｍ程度とするのが望ましい。
【００２８】
またライナー５の凸部５ａおよび粘着部５ｂの形状も、上記実施の形態における形状に限られるものではなく、例えば図３に示すように凸部５ａを円環状に形成してその内部および外周近辺に粘着部５ｂを形成したり、あるいは図３と同様に凸部５ａを円環状に形成してその内部のみに粘着部５ｂを形成してもよい。さらには図４に示すように、凸部５ａを磁気ディスクメディアの半径方向に延びる直線状に形成して、その両側に粘着部５ｂを形成してもよい。
【００２９】
凸部および粘着部をどのような形状にするにしても、凸部によって磁気ディスクメディアから除去した塵埃等を、粘着部で捕捉するためには、それらの凸部および粘着部を、磁気ディスクメディアの回転方向上下に亘って並ぶ状態に形成するのが好ましい。また先に述べたように、磁気ディスクメディアの表面にある塵埃等の付着物は該メディアの回転に伴ってその外周側に移動するから、凸部および粘着部は、付着物を捕捉する上では、少なくともライナーの、磁気ディスクメディアの外周縁に近い部分に対面する位置に設けておくのが望ましい。
【００３０】
次に図５を参照して、本発明のさらに別の実施の形態について説明する。本実施の形態においては図５に側断面形状を示す通り、上シェルハーフ１および下シェルハーフ２に固着されるライナーとして、多層構造のライナー２０が用いられている。このライナー２０は、シェルハーフ１、２に直接固着される第１層２１と、その上に形成された第２層２２と、さらにその上に形成された第３層２３とから構成されている。第３層２３は比較的目の粗い不織布等からなり、磁気ディスクメディア４に接触する。そしてこの第３層２３の下側の第１層２１および第２層２２が、粘着層とされている。そのような粘着層は、支持体となる層状の材料に、粘着性物質を塗布、あるいは含浸して形成することができる。
【００３１】
上記構成の多層構造ライナー２０を用いる本実施の形態においては、多孔質性層である第３層２３が磁気ディスクメディア４に接触してその表面にある塵埃等の付着物を除去し、そして、除去された付着物は該第３層２３の孔の部分を通過して粘着層である第１層２１および第２層２２に粘着捕捉されるようになる。そこで、本実施の形態の磁気ディスクカートリッジが落下衝撃等の衝撃や連続使用を受けても、ライナー２０から塵埃等の付着物が飛散し難くなるので、飛散した付着物が磁気ディスクメディア４に再付着してしまうことを防止でき、安定したディスク特性が得られるようになる。
【００３２】
なお、第１層２１および第２層２２の双方を粘着層とせずに、それらの中の一方のみを粘着層としても構わない。
【００３３】
また、図１および２に示したように、磁気ディスクメディア４に向かって突出した凸部５ａを設けるとともに、この凸部５ａに隣接する該凸部５ａよりも低い部分に粘着部５ｂを設けてなるライナー５において、上記のような粘着層を有する多層構造を採用することも可能である。
【００３４】
なお以上説明した実施の形態は、いわゆる３．５インチタイプのフロッピディスク（登録商標）カートリッジに本発明を適用したものであるが、本発明はその種の磁気ディスクカートリッジに限らず、例えば、より小径の磁気ディスクメディアをケースに収納してなる磁気ディスクカートリッジに対しても適用可能であり、その場合にも上記と同様の効果を奏するものである。そのような小径の磁気ディスクメディアをケースに収納してなる磁気ディスクカートリッジとしては、例えば特願２００２−１１７８３８号明細書に示されているものが挙げられる。
【図面の簡単な説明】
【図１】本発明の一実施の形態による磁気ディスクカートリッジを示す分解斜視図
【図２】上記磁気ディスクカートリッジの一部を示す側断面図
【図３】本発明の別の実施の形態における磁気ディスクメディアを示す斜視図
【図４】本発明のさらに別の実施の形態における磁気ディスクメディアを示す斜視図
【図５】本発明のさらに別の実施の形態による磁気ディスクカートリッジを示す側断面図
【符号の説明】
１　　上シェルハーフ
２　　下シェルハーフ
３　　センターコア
４　　磁気ディスクメディア
５　　ライナー
５ａ　ライナーの凸部
５ｂ　ライナーの粘着部
１０、１１　　　磁気ヘッド挿入用の窓部
２０　　多層構造ライナー
２１　　多層構造ライナーの第１層（粘着層）
２２　　多層構造ライナーの第２層（粘着層）
２３　　多層構造ライナーの第３層（多孔質性層）
Ｃ　　ケース
Ｆ　　付着物
【図１】
2004030705.tif 000003
【図２】
2004030705.tif 000004
【図３】
2004030705.tif 000005
【図４】
2004030705.tif 000006
【図５】
2004030705.tif 000007